(57)【要約】【課題】送風機の故障を防止でき、送風機の信頼性を高めることができる洗濯乾燥機を提供する。【解決手段】循環ポンプ１３が稼働することによって、水槽４内のすすぎ水が排水ダクト、糸屑フィルタおよび循環ホース２９を介して循環する。循環ホース２９内に入ったすすぎ水は途中で第１の枝部２９ａと第２の枝部２９ｂとに分岐して流れる。第１の枝部２９ａを流れるすすぎ水の一部は、第１の循環ノズル１９の先端からドラム５内に吐出して洗濯物に降り掛かる。一方、すすぎ水の残りは、第２の枝部２９ｂを流れた後、第２の循環ノズル４９の先端から水槽４内に吐出して除湿用熱交換プレート１７の後部およびこの周辺に掛かる。【選択図】図３
2006239001.tif 000002
【特許請求の範囲】
【請求項１】
外箱と、
上記外箱内に配置された水槽と、
上記水槽内に回転自在に配置され、洗濯物を収容する回転槽と、
上記水槽内の空気から除湿する除湿用熱交換プレートを有すると共に、上記除湿用熱交換プレートを経由した空気を吸い込む送風機を有する乾燥システムと、
上記水槽内の水が流入する一方の端部を有すると共に、この一方の端部から流入した水を上記除湿用熱交換プレートへ向けて吐出する他方の端部を有する循環経路と、
上記水槽内の水を上記循環経路を介して循環させる循環装置と
を備えたことを特徴とする洗濯乾燥機。
【請求項２】
請求項１に記載の洗濯乾燥機において、
上記循環経路の上記他方の端部は複数個あることを特徴とする洗濯乾燥機。
【請求項３】
外箱と、
上記外箱内に配置された水槽と、
上記水槽内に回転自在に配置され、洗濯物を収容する回転槽と、
上記水槽内の空気を吸い込む吸込口が設けられた送風機を有する乾燥システムと、
上記水槽内の水が流入する一方の端部を有すると共に、この一方の端部から流入した水を上記送風機の吸込口周辺へ向けて吐出する他方の端部を有する循環経路と、
上記水槽内の水を上記循環経路を介して循環させる循環装置と
を備えたことを特徴とする洗濯乾燥機。
【発明の詳細な説明】
【技術分野】
【０００１】
本発明は洗濯乾燥機に関する。
【背景技術】
【０００２】
従来、洗濯乾燥機としては、特許文献１（特開２００４−１２１３５２号公報）に開示されたドラム式洗濯乾燥機がある。このドラム式洗濯乾燥機は、図９に示すように、外箱１０１と、この外箱１０１内に配置された水槽１０２と、この水槽１０２内に回転自在に配置されたドラム１０３と、このドラム１０３内の洗濯物を乾燥させるための乾燥システム１０４とを備えている。
【０００３】
上記乾燥システム１０４は、熱交換器１０５と、この熱交換器１０５内の空気を吸い込む送風機１０６と、この送風機１０６が吹き出した空気を加熱するヒータ１０７とを有している。
【０００４】
上記熱交換器１０５内の上流側には、糸屑等の異物を捕集するためのリブ１０８が設けられている。
【０００５】
上記構成のドラム式洗濯乾燥機によれば、乾燥運転時、乾燥システム１０４が稼働する。そうすると、上記送風機１０６の羽根が回転して、矢印Ａで示すように、水分を含む空気が熱交換器１０５内に吸い込まれる。このとき、上記空気と共に糸屑等の異物が、熱交換器１０５内に入ってリブ１０８に堆積する。そして、上記空気は、熱交換器１０５内で除湿された後、送風機１０６によってヒータ１０７に送られ、ヒータ１０７で加熱される。このヒータ１０７で加熱された空気は、矢印Ｂで示すように、水槽１０２内へ入って、ドラム１０３内の洗濯物の水分を奪って、再び熱交換器１０５内に流入する。このような空気の循環により、洗濯物が乾燥する。
【０００６】
ところが、上記従来のドラム式洗濯乾燥機では、乾燥運転を開始すると、矢印Ａで示すように流れる空気が、前回の乾燥運転で堆積した糸屑等の異物を吹き上げてしまう。つまり、上記空気がリブから異物を剥がしてしまう。その結果、上記送風機１０６が異物を吸い込んで故障するという問題が生じてしまう。
【０００７】
この問題を解決する方法としては、使用者が、乾燥運転の終了後毎に、リブ１０８を清掃し、リブ１０８から異物を除去しておく方法があるが、この方法はドラム式洗濯乾燥機の使用性を悪くしてしまう。
【特許文献１】特開２００４−１２１３５２号公報
【発明の開示】
【発明が解決しようとする課題】
【０００８】
そこで、本発明の課題は、使用性の悪化を伴わずに、送風機の故障を防止できる洗濯乾燥機を提供することにある。
【課題を解決するための手段】
【０００９】
上記課題を解決するため、第１の発明の洗濯乾燥機は、
外箱と、
上記外箱内に配置された水槽と、
上記水槽内に回転自在に配置され、洗濯物を収容する回転槽と、
上記水槽内の空気から除湿する除湿用熱交換プレートを有すると共に、上記除湿用熱交換プレートを経由した空気を吸い込む送風機を有する乾燥システムと、
上記水槽内の水が流入する一方の端部を有すると共に、この一方の端部から流入した水を上記除湿用熱交換プレートへ向けて吐出する他方の端部を有する循環経路と、
上記水槽内の水を上記循環経路を介して循環させる循環装置と
を備えたことを特徴としている。
【００１０】
上記構成の洗濯乾燥機によれば、循環装置が稼働することによって、水槽内の水が、循環経路の一方の端部内に入った後、循環経路の他方の端部から除湿用熱交換プレートに向って流れ出る。これにより、上記循環経路の他方の端部から流れ出た水が、除湿用熱交換プレートに付着した異物を洗い流す。このように、上記除湿用熱交換プレートの異物を除去した後に、送風機を稼働させることによって、送風機が異物を吸い込むのを防ぎ、送風機の故障を防止できる。つまり、上記送風機の信頼性を高めることができる。
【００１１】
したがって、使用者が除湿用熱交換プレートの異物の除去を直接行わなくても、その異物が除去されるから、使用性の悪化を伴わずに、送風機の故障を防止できる。
【００１２】
また、上記除湿用熱交換プレートに付着した異物を洗い流すことによって、除湿すべき空気と除湿用熱交換プレートとの接触面積が減少するのを防ぐことができる。つまり、上記空気と除湿用熱交換プレートとの接触面積を大きく保つことができる。したがって、上記除湿用熱交換プレートの熱交換の性能が低下するのを防止できる。
【００１３】
一実施形態の洗濯乾燥機では、上記循環経路の上記他方の端部は複数個ある。
【００１４】
上記実施形態の洗濯乾燥機によれば、例えば、上記複数の他方の端部のうちの１つを除湿用熱交換プレートの一部に向け、かつ、複数の他方の端部のうちの他の１つを除湿用熱交換プレートの他の一部に向けることにより、除湿用熱交換プレートに付着した異物の除去効率を高めることができる。
【００１５】
第２の発明の洗濯乾燥機は、
外箱と、
上記外箱内に配置された水槽と、
上記水槽内に回転自在に配置され、洗濯物を収容する回転槽と、
上記水槽内の空気を吸い込む吸込口が設けられた送風機を有する乾燥システムと、
上記水槽内の水が流入する一方の端部を有すると共に、この一方の端部から流入した水を上記送風機の吸込口周辺へ向けて吐出する他方の端部を有する循環経路と、
上記水槽内の水を上記循環経路を介して循環させる循環装置と
を備えたことを特徴としている。
【００１６】
上記構成の洗濯乾燥機によれば、循環装置が稼働することによって、水槽内の水が、循環経路の一方の端部内に入った後、循環経路の他方の端部から送風機の吸込口周辺に向って流れ出る。これにより、上記循環経路の他方の端部から流れ出た水が、送風機の吸込口周辺に付着した異物を洗い流す。このように、上記送風機の吸込口周辺の異物を除去した後に、送風機を稼働させることによって、送風機が異物を吸い込むのを防ぎ、送風機の故障を防止できる。つまり、上記送風機の信頼性を高めることができる。
【００１７】
したがって、使用者が送風機の吸込口周辺の異物の除去を直接行わなくても、その異物が除去されるから、使用性の悪化を伴わずに、送風機の故障を防止できる。
【発明の効果】
【００１８】
第１の発明の洗濯乾燥機は、使用者が除湿用熱交換プレートの異物の除去を直接行わなくても、循環装置を稼働させることによって、循環経路の他方の端部から流れ出た水が除湿用熱交換プレートの異物を洗い流すので、使用性の悪化を伴わずに、送風機の故障を防止できる。
【００１９】
また、上記除湿用熱交換プレートの異物を洗い流すことによって、除湿すべき空気と除湿用熱交換プレートとの接触面積が減少せず、湿用熱交換プレートの熱交換の性能が低下するのを防止できる。
【００２０】
第２の発明の洗濯乾燥機は、使用者が送風機の吸込口周辺の異物の除去を直接行わなくても、循環装置を稼働させることによって、循環経路の他方の端部から流れ出た水が送風機の吸込口周辺の異物を洗い流すので、使用性の悪化を伴わずに、送風機の故障を防止できる。
【発明を実施するための最良の形態】
【００２１】
以下、本発明の洗濯乾燥機を図示の実施の形態により詳細に説明する。
【００２２】
（第１実施形態）
図１に、本発明の第１実施形態のドラム式洗濯乾燥機を斜め上方から見た概略図を示す。
【００２３】
上記ドラム式洗濯乾燥機は、外箱開口部２５を前部に有する外箱１を備えている。上記外箱１の上部は天板２４から成る一方、外箱１の下部は底台２から成っている。そして、上記外箱開口部２５は、外箱１にヒンジ（図示せず）で回動自在に取り付けられた開閉扉３で開閉されるようになっている。また、上記外箱１の上部には、洗剤、漂白剤および柔軟剤を収容する洗剤ケース１１が設けられていると共に、操作キーや表示部を有する操作パネル８が設けられている。
【００２４】
図２に、上記ドラム式洗濯乾燥機の概略断面図を示す。
【００２５】
上記外箱１の上部である天板２４の後部には給水口１０が設けられている。この給水口１０に供給された水は、給水パイプ９、洗剤ケース１１および給水ダクト３５を順次流れて水槽４内に流入する。上記給水パイプ９には給水弁３６が設けられており、この給水弁３６の開閉操作によって水槽４への水の供給が制御される。また、上記外箱１の前面上部にある操作パネル８の裏側（外箱１の内部側）には、ドラム式洗濯乾燥機の動作を制御する制御装置２３が配置されている。
【００２６】
また、上記ドラム式洗濯乾燥機は、水槽４、ドラム５、駆動装置６および乾燥システム２６も備えている。上記駆動装置６は、水槽４の後部に取り付けられており、ドラム５を回転駆動する。また、上記乾燥システム２６はドラム５内の洗濯物を乾燥させるためのものである。なお、上記ドラム５は回転槽の一例である。
【００２７】
上記水槽４は、有底円筒形状であり、外箱１内に配置されている。また、上記水槽４の前面部には水槽開口部２７が設けられている。この水槽開口部２７の開口縁には、ゴムや軟質樹脂等の弾性体から成るパッキン７が取り付けられている。これにより、上記開閉扉３を閉じると、開閉扉３の窓部３１がパッキン７に密着し、水槽４内の液体が水槽４外へ漏れ出るのを防ぐことができる。また、上記水槽４は、水槽開口部２７が前方を向いて外箱開口部２５に対向するように配置されている。より詳しくは、上記水槽４の中心軸は水平方向に対して５°〜３０°の角度を成すように傾斜している。そして、上記水槽４の上部には、水槽４内に水や洗濯液等を給水するための給水ダクト３５が接続されている。一方、上記水槽４の下部には排水口５１が設けられ、この排水口５１には排水ダクト１２が接続されている。この排水ダクト１２を流れる液体は糸屑フィルタ２８を通ってから排水ホース５０または循環ホース２９に流入できるようになっている。この糸屑フィルタ２８は、排水ダクト１２内を流れて来た液体中の糸屑等の異物を除去する。また、上記排水ホース５０には、排水モータ１４によって開閉される排水弁３０が設けられている。なお、上記排水ダクト１２と循環ホース２９とが循環経路の一例を構成している。
【００２８】
上記循環ホース２９の上方の端部は第１の枝部２９ａと第２の枝部２９ｂとに分岐している。上記第１の枝部２９ａは循環ポンプ１３近傍から水槽４の前面側へ向かって延びて第１の循環ノズル１９に接続されている。また、上記第２の枝部２９ｂは循環ポンプ１３近傍から水槽４の後部へ向かって延びて第２の循環ノズル４９に接続されている。一方、上記循環ホース２９の下方の端部は、糸屑フィルタ２８の後方に配置された循環ポンプ１３に接続されている。なお、上記循環ポンプ１３は循環装置の一例である。
【００２９】
上記ドラム５も、水槽４と同様に有底円筒形状を呈している。また、上記ドラム５は水槽４内の空間の上部側に回転自在に配置されている。このため、上記ドラム５の回転軸を含む鉛直面内では、ドラム５の上部周壁と水槽４の上部周壁との間の距離に比べて、ドラム５の下部周壁と水槽４の下部周壁との間の距離の方が長くなっている。また、上記ドラム５の回転軸は、水平方向に対して５°〜３０°の角度を成すように傾斜して水槽４の中心軸に対して略平行となっている。また、上記ドラム５の前面部には、ドラム５内に洗濯物を入れるためのドラム開口部３２が設けられている。このドラム開口部３２は、水槽開口部２７よりも大きな径を有して外箱開口部２５および水槽開口部２７に対向している。また、上記ドラム５の周壁全域には複数の小孔３３が設けられている。この小孔３３は、水槽４とドラム５との間の空間と、ドラム５内の空間との間で洗濯水や乾燥空気等を流通させるためのものである。また、上記ドラム５のドラム開口部３２を外側から取り囲む流体バランサ３４を設けて、ドラム５の回転時に、洗濯物および洗濯液等の偏りにより生じようとするアンバランスを、流体バランサ３４の内部における封入液体の移動によって打消すようにしている。
【００３０】
上記乾燥システム２６はファンユニット１５及び除湿用熱交換プレート１７を有している。また、詳しくは後述するが、上記乾燥システム２６は温風ユニット１６（図４参照）も有している。なお、上記ファンユニット１５は送風機の一例である。
【００３１】
上記ファンユニット１５は水槽４の後面下部に取り付けられている。また、上記ファンユニット１５は、ファンケース３７と、このファンケース３７内に収容された送風ファン３８と、送風ファン３８を回転駆動するファンモータ３９とで構成されている。このファンモータ３９は送風ファン３８と直結し、ダイレクトドライブ構造によって送風ファン３８を回転駆動するようになっている。また、上記ファンケース３７には、水槽４の空気を吸い込む吸込口３７ａが設けられている。
【００３２】
上記除湿用熱交換プレート１７は、洗濯時またはすすぎ時における水槽４内の液体に浸かるように、水槽４の下部とドラム５の下部との間の領域に配置されて、水平面に対して５°〜３０°の角度を成すように傾斜している。また、上記除湿用熱交換プレート１７の後部（ファンユニット１５側の部分）は、水槽４の内壁に取り付けられたプレートカバー１８で覆われている。このプレートカバー１８は、洗濯物から蒸発した水分を含む空気を除湿用熱交換プレート１７に沿うように流して、ファンケース３７の吸込口３７ａへ案内する。
【００３３】
図３に、図２の要部の拡大図を示す。
【００３４】
上記除湿用熱交換プレート１７は、金属製であって開放断面形状を有し、ステンレス製の線材４０を介して水槽４の内壁に取り付けられている。また、上記除湿用熱交換プレート１７の表面には、楕円形状の凹部１７ａが９個設けられている。上記除湿用熱交換プレート１７の表面上では、乾燥運転時、冷却ノズル２１で供給された冷却水がファンユニット１５へ向かって流れる。より詳しくは、上記冷却ノズル２１から最前方の凹部１７ａに供給された冷却は、除湿用熱交換プレート１７が水面に対して傾斜していることにより、後方の８個の凹部１７ａを順次流れた後、除湿用熱交換プレート１７の後端から流れ落ちて、排水口５１及び排水ダクト１２等を通って外箱１外に排水される。
【００３５】
上記冷却ノズル２１は、水槽４の前面下部に設けられている。また、上記冷却ノズル２１の水槽４外の端部には冷却ホース４３の一方の端部が接続されている。上記冷却ノズル２１の近傍には第１の循環ノズル１９が設置されている。
【００３６】
上記第１の循環ノズル１９は水槽４の前面下部を貫通し、水槽４内の先端がドラム５内の洗濯物に臨んでいる。これにより、上記第１の循環ノズル１９から吐出した循環水が洗濯物に降り掛かる。
【００３７】
上記第２の循環ノズル４９は水槽４の下面後部を貫通し、水槽４内の先端が除湿用熱交換プレート１７の後部に対向している。これにより、上記第２の循環ノズル４９から吐出した循環水が除湿用熱交換プレート１７の後部およびこの周辺に掛かる。
【００３８】
なお、図３では、循環水の供給と冷却水の供給とが同時に行われているように描かれているが、循環水の供給と冷却水の供給とは同時に行われない。上記循環水の供給はすすぎ工程で行われ、冷却水の供給は乾燥工程で行われる。
【００３９】
図４に、上記水槽４の概略正面図を示す。
【００４０】
上記温風ユニット１６は、ヒータ４１と、このヒータ４１で加熱された空気をドラム５内へ案内する送風ケース４２とから成っている。
【００４１】
上記ヒータ４１は、ファンユニット１５が吹き出した空気を加熱する加熱部と、この加熱部を収容するヒータケースとから成っている。そして、上記ヒータ４１は、除湿用熱交換プレート１７の側方に位置するように、水槽４の下部とドラム５の下部との間に設置されている。また、上記ヒータケース内の空間は送風ケース４２内の空間と連通している。
【００４２】
上記送風ケース４２は、水槽開口部２７の下縁とドラム開口部３２の下縁との間に位置する上端を有している。これにより、上記送風ケース４２で案内された空気は送風ケース４２の上端からドラム５内へ向かって吹き出す。
【００４３】
なお、上記送風ケース４２の上端の配置スペースは、水槽開口部２７の中心Ｃ１をドラム開口部３２の中心Ｃ２よりも天板２４側に位置させることで得ている。つまり、上記送風ケース４２の上端の配置スペースは、水槽開口部２７をドラム開口部３２に対して外箱１の天板２４側に偏心させることで得ている。
【００４４】
以下、上記構成のドラム式洗濯乾燥機が、洗い工程、脱水工程、すすぎ工程および乾燥工程を順次行う場合について説明する。
【００４５】
まず、洗い工程が開始すると、洗濯物を洗うための洗い水が槽４内に溜まり、ドラム５が回転することによって、洗濯物の汚れが落ちる。
【００４６】
次に、脱水工程が開始すると、排水弁３０を開放させて、水槽４内の洗い水を外箱１外へ排水する。そして、上記洗い水の排水が終了すると、排水弁３０が開放したまま、ドラム５が回転することによって、洗濯物が含む水分が遠心分離される。
【００４７】
次に、すすぎ工程が開始すると、排水弁３０が閉鎖し、洗濯物をすすぐためのすすぎ水（循環水）が水槽４内に溜まり、ドラム５が回転することによって、洗濯物がすすがれる。このとき、上記循環ポンプ１３が稼働することによって、水槽４内のすすぎ水が排水ダクト１２、糸屑フィルタ２８および循環ホース２９を介して循環する。より詳しくは、上記循環ホース２９内に入ったすすぎ水は途中で第１の枝部２９ａと第２の枝部２９ｂとに分岐して流れる。上記第１の枝部２９ａを流れるすすぎ水の一部は、第１の循環ノズル１９の先端からドラム５内に吐出して洗濯物に降り掛かる。一方、上記すすぎ水の残りは、第２の枝部２９ｂを流れた後、第２の循環ノズル４９の先端から水槽４内に吐出して除湿用熱交換プレート１７の後部およびこの周辺に掛かる。その結果、上記すすぎ水の残りが、除湿用熱交換プレート１７の後部およびこの周辺に付着した糸屑等の異物を洗い流す。この異物は、すすぎ水と共に排水口５１から排水ダクト１２内へ入り、排水ダクト１２を流れて糸屑フィルタ２８で捕集される。
【００４８】
次に、上記乾燥運転が始まると、乾燥システム２６が稼働し、ヒータ４１による温風が、ドラム５内へ吹き出る。これにより、上記温風がドラム５内の洗濯物に当たり、洗濯物の水分が蒸発する。この水分を含んだ空気は、小孔３３からドラム５外に出て、ファンユニット１５に吸引されてプレートカバー１８内へ入る。このプレートカバー１８が、上記水分を含んだ空気を除湿用熱交換プレート１７に沿って流す。このとき、上記水分を含んだ空気は、除湿用熱交換プレート１７の表面上を流れる冷却水によって冷却されると共に、上記冷却水で冷えた除湿用熱交換プレート１７によっても冷却される。これにより、上記空気の水分を効果的に凝縮させることができる。つまり、上記空気を十分に除湿して、良好な乾燥空気が得られる。上記乾燥空気は、ファンケース３７内へ吸い込まれる一方、凝縮した水分は、排水口５１から排水ダクト１２内へ入り、外箱１外へ出る。そして、上記ファンケース３７内に吸い込まれた乾燥空気は、送風ファン３８の回転によってヒータ４１に送られ、このヒータ４１で加熱されてドラム５内へ戻る。
【００４９】
このように、使用者が除湿用熱交換プレート１７の後部およびこの周辺の異物を直接除去しなくても、上記異物がすすぎ工程で除去されるから、使用性の悪化が生じず、上記異物を吸い込むことによるファンユニット１５の故障を防止できる。
【００５０】
また、上記除湿用熱交換プレート１７の後部に付着した異物を洗い流すことによって、除湿すべき空気と除湿用熱交換プレートの後部との接触面積が減少するのを防ぐことができる。つまり、上記空気と除湿用熱交換プレートの後部との接触面積を大きく保つことができる。したがって、上記除湿用熱交換プレートの熱交換の性能が低下するのを防止できる。
【００５１】
上記第１実施形態では、給水弁３６を給水パイプ９に設けていたが、給水弁３６の代わりに給水ポンプを給水パイプ９に設けてもよい。
【００５２】
（第２実施形態）
図５に、第２実施形態のドラム式洗濯乾燥機の要部の概略断面図を示す。また、図５において、図２，図３に示した第１実施形態の構成部と同一構成部は、図２，図３における構成部と同一参照番号を付して説明を省略する。また、図５においても、図３と同様に、循環水の供給と冷却水の供給とが同時に行われているように描かれているが、循環水の供給と冷却水の供給とは同時に行われない。上記循環水の供給はすすぎ工程で行われ、冷却水の供給は乾燥工程で行われる。
【００５３】
上記ドラム式洗濯乾燥機では、水槽４の上部とドラム５の上部との間の領域に配置されて、水平面に対して５°〜３０°の角度を成すように傾斜している。また、上記除湿用熱交換プレート１７の後部（ファンユニット１５側の部分）は、水槽４の内壁に取り付けられたプレートカバー２１８内で覆われている。このプレートカバー２１８の下側の端部には、プレートカバー２１８内の水を抜くための貫通穴２１８ａが設けられている。
【００５４】
上記除湿用熱交換プレート１７の前部には冷却ノズル２１による冷却水が降り掛かると共に、除湿用熱交換プレート１７の後部およびこの周辺には第２の循環ノズル４９による循環水が降り掛かるようになっている。また、上記除湿用熱交換プレート１７の中央部には給水ダクト３５が対向している。
【００５５】
上記構成のドラム式洗濯乾燥機によれば、上記第１実施形態と同様に、第２の循環ノズル４９による循環水によって除湿用熱交換プレート１７の後部およびこの周辺の異物を除去できる。
【００５６】
また、上記給水ダクト３５が除湿用熱交換プレート１７の中央部に対向しているので、給水ダクト３５から吐出した洗い水またはすすぎ水が除湿用熱交換プレート１７の中央部およびその周辺の異物を洗い流す。したがって、上記除湿用熱交換プレート１７の後部およびこの周辺の異物に加えて、除湿用熱交換プレート１７の中央部およびその周辺の異物も除去できるので、異物を吸い込むことよるファンユニット１５の故障をより起こり難くすることができる。
【００５７】
また、上記プレートカバー２１８の下側の端部に貫通穴２１８ａが設けられているから、プレートカバー２１８内の循環水等を貫通穴２１８ａからプレートカバー２１８外に排水できる。
【００５８】
（第３実施形態）
図６に、第３実施形態のドラム式洗濯乾燥機の要部の概略断面図を示す。また、図６において、図２，図３に示した第１実施形態の構成部と同一構成部は、図２，図３における構成部と同一参照番号を付して説明を省略する。また、図６においても、図３と同様に、循環水の供給と冷却水の供給とが同時に行われているように描かれているが、循環水の供給と冷却水の供給とは同時に行われない。上記循環水の供給はすすぎ工程で行われ、冷却水の供給は乾燥工程で行われる。
【００５９】
上記ドラム式洗濯乾燥機は、上記第１実施形態の循環ホース２９に代えて、第１〜第３の枝部３１９ａ，３１９ｂ，３１９ｃを有する循環ホース３１９を備えている。上記第１〜第３の枝部３１９ａ，３１９ｂ，３１９ｃは第１〜第３の循環ノズル１９，４９，５９に接続されている。
【００６０】
上記第１の循環ノズル１９は水槽４の前面下部を貫通し、水槽４内の先端がドラム５内の洗濯物に臨んでいる。これにより、上記第１の循環ノズル１９から吐出した循環水が洗濯物に降り掛かる。
【００６１】
上記第２の循環ノズル４９は水槽４の下面後部を貫通し、水槽４内の先端が除湿用熱交換プレート１７の後部に対向している。これにより、上記第２の循環ノズル４９から吐出した循環水が除湿用熱交換プレート１７の後部およびこの周辺に掛かる。
【００６２】
上記第３の循環ノズル５９は水槽４の下面中央部を貫通し、水槽４内の先端が除湿用熱交換プレート１７の中央部に対向している。これにより、上記第３の循環ノズル５９から吐出した循環水が除湿用熱交換プレート１７の中央部およびこの周辺に掛かる。
【００６３】
上記構成のドラム式洗濯乾燥機によれば、上記第１実施形態と同様に、第２の循環ノズル４９による循環水によって除湿用熱交換プレート１７の後部およびこの周辺の異物を除去できる。
【００６４】
また、上記第３の循環ノズル５９の先端が除湿用熱交換プレート１７の中央部を向いているので、第３の循環ノズル５９による循環水の一部が除湿用熱交換プレート１７の中央部およびこの周辺の異物を洗い流す。したがって、上記除湿用熱交換プレート１７の後部およびこの周辺の異物に加えて、除湿用熱交換プレート１７の中央部およびその周辺の異物も除去できるので、異物を吸い込むことよるファンユニット１５の故障をより起こり難くすることができる。
【００６５】
（第４実施形態）
図７に、第３実施形態のドラム式洗濯乾燥機の要部の概略断面図を示す。また、図７において、図２，図３に示した第１実施形態の構成部と同一構成部は、図２，図３における構成部と同一参照番号を付して説明を省略する。また、図７においても、図３と同様に、循環水の供給と冷却水の供給とが同時に行われているように描かれているが、循環水の供給と冷却水の供給とは同時に行われない。上記循環水の供給はすすぎ工程で行われ、冷却水の供給は乾燥工程で行われる。
【００６６】
上記ドラム式洗濯乾燥機では、第２の循環ノズル４９が水槽４の下面後部を貫通し、水槽４内の先端がファンユニット１５の吸込口３７ａに対向している。これにより、上記第２の循環ノズル４９から吐出した循環水がファンユニット１５の吸込口３７ａ周辺に掛かる。したがって、使用者がファンユニット１５の吸込口３７ａ周辺の異物を直接除去しなくても、第２の循環ノズル４９による循環水が上記異物を洗い流すから、使用性の悪化が生じず、上記異物によるファンユニット１５の故障を防止できる。
【００６７】
上記第１〜第４実施形態では、すすぎ工程時に循環水の供給を行っていたが、洗い工程時に循環水の供給を行ってもよい。つまり、上記洗い工程時に、循環ポンプ１３を稼働させてもよい。
【００６８】
また、すすぎ工程時に、循環水の供給と冷却水の供給とを同時に行ってもよい。この場合、上記除湿用熱交換プレート１７から泡を除去する効果を高めることができる。
【００６９】
また、上記除湿用熱交換プレート１７は冷却水の一例としての水道水で冷却することができる。この場合、図８に示す給水弁装置４４を外箱１内に設けてもよい。
【００７０】
上記給水弁装置４４は、流入口４４ｃおよび第１の吐出口４４ａに連通する洗濯用給水弁４５と、流入口４４ｃおよび第２の吐出口４４ｂに連通する乾燥用給水弁４６とを有している。
【００７１】
上記第１の吐出口４４ａには給水パイプ４０９の一方の端部を接続する一方、第２の吐出口４４ｂには冷却ホース４３の他方の端部を接続する。そして、上記流入口４４ｃには、例えば可撓性のホース（図示せず）を介して水道の蛇口に接続する。なお、上記給水パイプ４０９の他方の端部には洗剤ケース１１に接続する。
【００７２】
上記構成の給水弁装置４４によれば、洗濯用給水弁４５を開放すると、第１の吐出口４４ａから吐出した水道水は給水パイプ４０９を流れて洗剤ケース１１内に流入する。一方、上記乾燥用給水弁４６を開放すると、第２の吐出口４４ｂから吐出した水道水は冷却ホース４３を流れて冷却ノズル２１から除湿用熱交換プレート１７の表面に流れ落ちる。
【００７３】
また、本発明は、ドラム式洗濯乾燥機のみならず、縦型洗濯乾燥機にも用いることができる。
【図面の簡単な説明】
【００７４】
【図１】図１は本発明の第１実施形態のドラム式洗濯乾燥機の概略斜視図である。
【図２】図２は上記第１実施形態のドラム式洗濯乾燥機の概略断面図である。
【図３】図３は図２の要部の拡大図である。
【図４】図４は上記第１実施形態のドラム式洗濯乾燥機の水槽の概略正面図である。
【図５】図５は本発明の第２実施形態のドラム式洗濯乾燥機の要部の概略断面図である。
【図６】図６は本発明の第３実施形態のドラム式洗濯乾燥機の要部の概略断面図である。
【図７】図７は本発明の第４実施形態のドラム式洗濯乾燥機の要部の概略断面図である。
【図８】図８は上記第１〜４実施形態のドラム式洗濯乾燥機に搭載可能な給水弁装置の概略構成図である。
【図９】図９は従来のドラム式洗濯乾燥機の概略断面図である。
【符号の説明】
【００７５】
１  外箱
２  底台
３  開閉扉
４  水槽
５  ドラム
６  駆動装置
７  パッキン
８  操作パネル
９  給水パイプ
１１  洗剤ケース
１２  排水ダクト
１３  循環ポンプ
１４  排水モータ
１５  ファンユニット
１６  温風ユニット
１７  除湿用熱交換プレート
１８  プレートカバー
１９  第１の循環ノズル
２１  冷却ノズル
２３  制御装置
２４  天板
２５  外箱開口部
２７  水槽開口部
２８  糸屑フィルタ
２９，３１９  循環ホース
３０  排水弁
３１  窓部
３２  ドラム開口部
３４  流体バランサ
３６  給水弁
３７  ファンケース
３８  送風ファン
３９  ファンモータ
４０  線材
４１  ヒータ
４２  送風ケース
４３  冷却ホース
４４  給水弁装置
４４ａ  第１の吐出口
４４ｂ  第２の吐出口
４４ｃ  流入口
４５  洗濯用給水弁
４６  乾燥用給水弁
４９  第２の循環ノズル
５１  排水口
５９  第３の循環ノズル
【図１】
2006239001.tif 000003
【図２】
2006239001.tif 000004
【図３】
2006239001.tif 000005
【図４】
2006239001.tif 000006
【図５】
2006239001.tif 000007
【図６】
2006239001.tif 000008
【図７】
2006239001.tif 000009
【図８】
2006239001.tif 000010
【図９】
2006239001.tif 000011